【手続補正書】
【提出日】平成20年9月18日(2008.9.18)
【手続補正１】
【補正対象書類名】明細書
【補正対象項目名】発明の名称
【補正方法】変更
【補正の内容】
【発明の名称】ネットワークデバイス管理装置、管理システム及び管理方法、並びに情報処理装置及びその制御方法
【手続補正２】
【補正対象書類名】明細書
【補正対象項目名】特許請求の範囲
【補正方法】変更
【補正の内容】
【特許請求の範囲】
【請求項１】  ネットワークデバイス管理装置であって、
ネットワーク内に存在し、当該ネットワークの所定の範囲内に存在するデバイスに関するデバイス情報を有する、複数のデバイス情報収集手段それぞれへアクセスするためのアクセス情報を記憶するアクセス情報記憶手段と、
前記ネットワーク中のデバイスを探索するための探索要求を受信すると、前記複数のデバイス情報収集手段のうちのいずれかのデバイス情報収集手段へアクセスするためのアクセス情報を前記探索要求の送信元へ応答する応答手段とを有することを特徴とするネットワークデバイス管理装置。
【請求項２】  ネットワークに接続される情報処理装置であって、
前記ネットワークにおける所定の範囲内に存在するデバイスを探索するための探索要求を前記ネットワークへ送信する探索要求送信手段と、
前記探索要求に応答して送信された、前記所定の範囲内に存在するデバイスに関するデバイス情報を有するデバイス情報収集手段へアクセスするためのアクセス情報を受信するアクセス情報受信手段と、
前記アクセス情報に基づいて、前記デバイス情報収集手段から、前記デバイス情報を取得するデバイス情報取得手段とを有することを特徴とする情報処理装置。
【請求項３】  前記デバイス情報取得手段によって取得されたデバイス情報を、前記所定の範囲が識別できるように表示する表示手段を有することを特徴とする請求項２記載の情報処理装置。
【請求項４】  ネットワークデバイス管理システムであって、
ネットワークにおける所定の範囲内に存在するデバイスに関するデバイス情報を収集する複数のデバイス情報収集手段と、
前記ネットワーク内に存在する前記複数のデバイス情報収集手段それぞれへアクセスするためのアクセス情報を記憶するアクセス情報記憶手段と、
前記ネットワーク中のデバイスを探索するための探索要求を受信すると、前記複数のデバイス情報収集手段のうちのいずれかのデバイス情報収集手段へアクセスするためのアクセス情報を前記探索要求の送信元へ応答する応答手段とを有することを特徴とするネットワークデバイス管理システム。
【請求項５】  前記デバイス情報収集手段が、定期的に前記デバイス情報を収集もしくは更新することを特徴とする請求項４記載のネットワークデバイス管理システム。
【請求項６】  前記複数のデバイス情報収集手段の各々は、前記管理対象であるネットワークを構成するサブネット単位で配置され、前記デバイス情報収集手段が配置されたサブネット内に存在するデバイスに関するデバイス情報を収集することを特徴とする請求項４又は請求項５記載のネットワークデバイス管理システム。
【請求項７】  制御手段と、記憶手段とを備えるネットワークデバイス管理装置におけるネットワークデバイス管理方法であって、
前記制御手段が、ネットワーク内に存在し、当該ネットワークの所定の範囲内に存在するデバイスに関するデバイス情報を有する、複数のデバイス情報収集手段それぞれへアクセスするためのアクセス情報を前記記憶手段に記憶するアクセス情報記憶ステップと、
前記制御手段が、前記ネットワーク中のデバイスを探索するための探索要求を受信すると、前記複数のデバイス情報収集手段のうちのいずれかのデバイス情報収集手段へアクセスするためのアクセス情報を前記探索要求の送信元へ応答する応答ステップとを有することを特徴とするネットワークデバイス管理方法。
【請求項８】  制御手段を備え、ネットワークに接続される情報処理装置の制御方法であって、
前記制御手段が、前記ネットワークにおける所定の範囲内に存在するデバイスを探索するための探索要求を前記ネットワークへ送信する探索要求送信ステップと、
前記制御手段が、前記探索要求に応答して送信された、前記所定の範囲内に存在するデバイスに関するデバイス情報を有するデバイス情報収集手段へアクセスするためのアクセス情報を受信するアクセス情報受信ステップと、
前記制御手段が、前記アクセス情報に基づいて、前記デバイス情報収集手段から、前記デバイス情報を取得するデバイス情報取得ステップとを有することを特徴とする情報処理装置の制御方法。
【請求項９】  前記制御手段が、前記デバイス情報取得ステップによって取得されたデバイス情報を、前記所定の範囲が識別できるように表示手段に表示させる表示ステップをさらに有することを特徴とする請求項８記載の情報処理装置の制御方法。
【請求項１０】  制御手段を備えたネットワークデバイス管理装置におけるネットワークデバイス管理方法であって、
前記制御手段が、ネットワークにおける所定の範囲内に存在するデバイスに関するデバイス情報を複数のデバイス情報収集手段によって収集する、デバイス情報収集ステップと、
前記制御手段が、前記複数のデバイス情報収集手段それぞれへアクセスするためのアクセス情報を記憶手段に記憶するアクセス情報記憶ステップと、
前記制御手段が、前記ネットワーク中のデバイスを探索するための探索要求を受信すると、前記複数のデバイス情報収集手段のうちのいずれかのデバイス情報収集手段へアクセスするためのアクセス情報を前記デバイス探索要求の送信元へ応答する応答ステップとを有することを特徴とするネットワークデバイス管理方法。
【請求項１１】  前記デバイス情報収集手段が、定期的に前記デバイス情報を収集もしくは更新するステップをさらに有することを特徴とする請求項１０記載のネットワークデバイス管理方法。
【請求項１２】  前記デバイス情報収集ステップにおいて、前記複数のデバイス情報収集手段が、前記管理対象であるネットワークを構成するサブネット単位で前記デバイス情報の収集を行うことを特徴とする請求項１０又は請求項１１記載のネットワークデバイス管理方法。
【請求項１３】  コンピュータ装置を請求項１記載のネットワークデバイス管理装置の各手段として機能させるためのプログラム。
【請求項１４】  コンピュータ装置を請求項２記載の情報処理装置の各手段として機能させるためのプログラム。
【手続補正３】
【補正対象書類名】明細書
【補正対象項目名】０００１
【補正方法】変更
【補正の内容】
【０００１】
【発明の属する技術分野】
本発明は、コンピュータネットワークの管理に関し、特にネットワーク上の装置（ネットワークデバイス）の管理装置、管理システム及び管理方法並びに情報処理装置及びその制御方法に関する。
【手続補正４】
【補正対象書類名】明細書
【補正対象項目名】００１７
【補正方法】変更
【補正の内容】
【００１７】
本発明はこのような従来技術の問題点に鑑みなされたものであり、その目的は、広範囲におけるデバイス探索が要求されてもタイムアウトが発生せず、またデバイス探索のためのネットワークトラフィックが少ないネットワークデバイス管理装置、管理システム及び管理方法、並びに情報処理装置及びその制御方法を提供することにある。
【手続補正５】
【補正対象書類名】明細書
【補正対象項目名】００１８
【補正方法】変更
【補正の内容】
【００１８】
【課題を解決するための手段】
すなわち、本発明の要旨は、ネットワークデバイス管理装置であって、ネットワーク内に存在し、当ネットワークの所定の範囲内に存在するデバイスに関するデバイス情報を有する、複数のデバイス情報収集手段それぞれへアクセスするためのアクセス情報を記憶するアクセス情報記憶手段と、ネットワーク中のデバイスを探索するための探索要求を受信すると、複数のデバイス情報収集手段のうちのいずれかのデバイス情報収集手段へアクセスするためのアクセス情報を前記探索要求の送信元へ応答する応答手段とを有することを特徴とするネットワークデバイス管理装置に存する。
【手続補正６】
【補正対象書類名】明細書
【補正対象項目名】００１９
【補正方法】変更
【補正の内容】
【００１９】
また、本発明の別の要旨は、ネットワークに接続される情報処理装置であって、ネットワークにおける所定の範囲内に存在するデバイスを探索するための探索要求をネットワークへ送信する探索要求送信手段と、探索要求に応答して送信された、前記所定の範囲内に存在するデバイスに関するデバイス情報を有するデバイス情報収集手段へアクセスするためのアクセス情報を受信するアクセス情報受信手段と、アクセス情報に基づいて、前記デバイス情報収集手段から、デバイス情報を取得するデバイス情報取得手段とを有することを特徴とする情報処理装置に存する。
【手続補正７】
【補正対象書類名】明細書
【補正対象項目名】００２０
【補正方法】変更
【補正の内容】
【００２０】
また、本発明の別の要旨は、ネットワークデバイス管理システムであって、ネットワークにおける所定の範囲内に存在するデバイスに関するデバイス情報を収集する複数のデバイス情報収集手段と、ネットワーク内に存在する複数のデバイス情報収集手段それぞれへアクセスするためのアクセス情報を記憶するアクセス情報記憶手段と、ネットワーク中のデバイスを探索するための探索要求を受信すると、複数のデバイス情報収集手段のうちのいずれかのデバイス情報収集手段へアクセスするためのアクセス情報を前記探索要求の送信元へ応答する応答手段とを有することを特徴とするネットワークデバイス管理システムに存する。
【手続補正８】
【補正対象書類名】明細書
【補正対象項目名】００２１
【補正方法】変更
【補正の内容】
【００２１】
また、本発明の別の要旨は、制御手段と、記憶手段とを備えるネットワークデバイス管理装置におけるネットワークデバイス管理方法であって、制御手段が、ネットワーク内に存在し、当ネットワークの所定の範囲内に存在するデバイスに関するデバイス情報を有する、複数のデバイス情報収集手段それぞれへアクセスするためのアクセス情報を記憶手段に記憶するアクセス情報記憶ステップと、制御手段が、ネットワーク中のデバイスを探索するための探索要求を受信すると、複数のデバイス情報収集手段のうちのいずれかのデバイス情報収集手段へアクセスするためのアクセス情報を前記探索要求の送信元へ応答する応答ステップとを有することを特徴とするネットワークデバイス管理方法に存する。
【手続補正９】
【補正対象書類名】明細書
【補正対象項目名】００２２
【補正方法】変更
【補正の内容】
【００２２】
また、本発明の別の要旨は、制御手段を備え、ネットワークに接続される情報処理装置の制御方法であって、制御手段が、ネットワークにおける所定の範囲内に存在するデバイスを探索するための探索要求をネットワークへ送信する探索要求送信ステップと、制御手段が、探索要求に応答して送信された、前記所定の範囲内に存在するデバイスに関するデバイス情報を有するデバイス情報収集手段へアクセスするためのアクセス情報を受信するアクセス情報受信ステップと、制御手段が、アクセス情報に基づいて、前記デバイス情報収集手段から、デバイス情報を取得するデバイス情報取得ステップとを有することを特徴とする情報処理装置の制御方法に存する。
【手続補正１０】
【補正対象書類名】明細書
【補正対象項目名】００２３
【補正方法】変更
【補正の内容】
【００２３】
また、本発明の別の要旨は、制御手段を備えたネットワークデバイス管理装置におけるネットワークデバイス管理方法であって、制御手段が、ネットワークにおける所定の範囲内に存在するデバイスに関するデバイス情報を複数のデバイス情報収集手段によって収集する、デバイス情報収集ステップと、制御手段が、複数のデバイス情報収集手段それぞれへアクセスするためのアクセス情報を記憶手段に記憶するアクセス情報記憶ステップと、制御手段が、ネットワーク中のデバイスを探索するための探索要求を受信すると、複数のデバイス情報収集手段のうちのいずれかのデバイス情報収集手段へアクセスするためのアクセス情報をデバイス探索要求の送信元へ応答する応答ステップとを有することを特徴とするネットワークデバイス管理方法に存する。
【手続補正１１】
【補正対象書類名】明細書
【補正対象項目名】００２４
【補正方法】変更
【補正の内容】
【００２４】
また、本発明の別の要旨は、コンピュータ装置を本発明のネットワークデバイス管理装置、または情報処理装置の各手段として機能させるためのプログラムに存する。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】